(57)【要約】      （修正有）【課題】ボトル蓋に応用してストローを固定し、容器ボトル内にストローが落下することを防ぎ、指が触れる機会を減らして衛生的に使用可能なストロー落下防止装置を提供する。【解決手段】ストロー落下防止装置は、ボトル蓋に応用してストローが容器ボトル内に落下しないように固定するとともに、嵌合片１１、接続部１２及び位置決めリング１３を備えた吊下げ構造１を含む。嵌合片１１は、頂端面に少なくとも１つの当接リング１１１が設けられるとともに貫通孔を有する。貫通孔の一端には螺旋状を呈して外側に広がった溝部が形成され、溝部の底端面と嵌合片１１の表面とにはミシン目が形成される。接続部１２は、嵌合片１１の溝部間に形成される。位置決めリング１３は、接続部１２の底端面に設けられるとともに係止孔１３１を有する。【選択図】図３
0003200896.tif 000002
【実用新案登録請求の範囲】
【請求項１】
ボトル蓋に応用してストローが容器ボトル内に落下しないように固定するとともに、嵌合片、接続部及び位置決めリングを備えた吊下げ構造を含むストロー落下防止装置であって、
前記嵌合片は、頂端面に少なくとも１つの当接リングが設けられるとともに貫通孔を有し、前記貫通孔の一端には螺旋状を呈して外側に広がった溝部が形成され、前記溝部の底端面と前記嵌合片の表面とにはミシン目が形成され、
前記接続部は、前記嵌合片の前記溝部間に形成され、
前記位置決めリングは、前記接続部の底端面に設けられるとともに係止孔を有することを特徴とするストロー落下防止装置。
【請求項２】
前記位置決めリングが下方へ引っ張られると、前記溝部の底端面と前記嵌合片の表面とに形成された前記ミシン目を介して前記接続部が前記嵌合片の表面から外れ、前記吊下げ構造が螺旋状に吊り下げられることを特徴とする請求項１に記載のストロー落下防止装置。
【請求項３】
前記位置決めリングが有する前記係止孔の内環縁には、内方へ突出した弾性ストッパが複数設けられていることを特徴とする請求項２に記載のストロー落下防止装置。
【請求項４】
前記位置決めリングは、Ｏ字状又はＣ字状であることを特徴とする請求項３に記載のストロー落下防止装置。
【請求項５】
前記位置決めリングは、前記接続部の底端面に複数設けられていることを特徴とする請求項４に記載のストロー落下防止装置。
【請求項６】
前記嵌合片の前記当接リングは、環状リブ又は複数のバンプが配列されて形成されることを特徴とする請求項１に記載のストロー落下防止装置。
【請求項７】
前記吊下げ構造が前記ボトル蓋の内底部に結合されると、前記吊下げ構造の前記嵌合片の頂面端に設けられた前記当接リングが前記ボトル蓋の内底部に当接され、
前記吊下げ構造の前記嵌合片と前記ボトル蓋の内底部との間には、隙間が形成されることを特徴とする請求項１に記載のストロー落下防止装置。
【請求項８】
前記吊下げ構造と前記ボトル蓋とは、接着又は嵌合されることを特徴とする請求項７に記載のストロー落下防止装置。
【請求項９】
前記吊下げ構造は、前記ボトル蓋と一体的に設けられることを特徴とする請求項７に記載のストロー落下防止装置。
【考案の詳細な説明】
【技術分野】
【０００１】
本考案は、ストロー落下防止装置に関し、特に、ボトル蓋に応用してストローを固定し、容器ボトル内にストローが落下することを防ぎ、指が触れる機会を減らして衛生的に使用可能なストロー落下防止装置に関する。
【背景技術】
【０００２】
水は人体を構成する重要な成分の一つであり、汗、排泄物、呼吸、蒸発などにより体外へ排出される。そのため屋外で活動する際、水分を補給するための簡便な方法は、お店で飲み物を直接購入することである。ペットボトルは、飲用水その他飲み物を受ける容器であり、携行が容易な上、飲み終わった後にペットボトルを回収することもできる簡便な容器である。そのため、幅広く大量に使用するペットボトルは、消費者に広く受け入れられている容器である。従来、消費者がペットボトルから飲み物を飲む場合、瓶口に口を直接つけて飲むのが一般的であるが、ミネラルウォーターその他飲み物を瓶口に口を直接つけて飲むと口腔内の緑膿菌がボトル内に進入し、ボトルが細菌の培養基のようになってしまい、１２時間が過ぎて細菌が増殖すると、ペットボトル内のミネラルウォーターその他飲み物を飲用した者は喉が痛くなったり病気になったりすることがある。そのため医学会の専門家は、ミネラルウォーターその他飲み物を飲む際、口腔内の緑膿菌がボトル内に進入することがないように、瓶口に直接口をつけて飲まないことを推奨している。
【０００３】
従来、ペットボトルの飲用方式は、コップを別途用意してペットボトルからコップに飲み物を注いで飲む以外に、ストローで飲み物を吸って飲む方式もあった。一般に、ペットボトルの瓶口にストローを直接差し込んで飲み物を吸って飲む場合、瓶口に口を直接つけて飲む場合と比べて細菌の増殖が少ないが、ペットボトル内の飲み物を再び飲む際、ストロー先端の吸い口がペットボトル内の飲み物に沈んでしまい、指で瓶口に触れ、ストローの吸い口を取り出さなければならなかったため衛生上好ましくなかった。
【０００４】
上述したことから分るように、従来ペットボトル内から飲み物を飲用する際、瓶口に口をつけて飲用すると、細菌が増殖し易く、ペットボトル内のミネラルウォーターその他飲み物を再び飲用すると病気になることがあった。また、瓶口に直接口をつけて飲用することと比べ、ストローを使用して飲む方式は衛生的であるが、ペットボトルにストローを固定することができないため、ボトル内にストローが落下してしまい、次回飲む際にストローが取り出しにくくなり衛生的でなかった。そのため従来の問題点の改善が求められていた。
【考案の概要】
【考案が解決しようとする課題】
【０００５】
本考案の第１の目的は、飲用者が指又は工具を用いてストロー又は瓶口に触れることを防ぎ、容易に飲用することができるとともに衛生的なストロー落下防止装置を提供することにある。
本考案の第２の目的は、長さが異なるストローでも固定することができ、容器ボトル内にストローが落下することを防ぐことができるストロー落下防止装置を提供することにある。
本考案の第３の目的は、管径が異なるストローでも固定することができ、容器ボトル内にストローが落下することを防ぐことができるストロー落下防止装置を提供することにある。
【課題を解決するための手段】
【０００６】
上記課題を解決するために、本発明のストロー落下防止装置は、
ボトル蓋に応用してストローが容器ボトル内に落下しないように固定するとともに、嵌合片、接続部及び位置決めリングを備えた吊下げ構造を含むストロー落下防止装置であって、
前記嵌合片は、頂端面に少なくとも１つの当接リングが設けられるとともに貫通孔を有し、前記貫通孔の一端には螺旋状を呈して外側に広がった溝部が形成され、前記溝部の底端面と前記嵌合片の表面とにはミシン目が形成され、
前記接続部は、前記嵌合片の前記溝部間に形成され、
前記位置決めリングは、前記接続部の底端面に設けられるとともに係止孔を有することを特徴とする。
【図面の簡単な説明】
【０００７】
【図１】本考案の一実施形態に係るストロー落下防止装置の吊下げ構造が使用されていない状態を示す斜視図である。
【図２】本考案の一実施形態に係るストロー落下防止装置の吊下げ構造を使用して螺旋状に吊り下げられた状態を示す斜視図である。
【図３】本考案の一実施形態に係るストロー落下防止装置の吊下げ構造を使用して螺旋状に吊り下げられた状態を示す正面図である。
【図４】本考案の一実施形態に係るストロー落下防止装置の吊下げ構造をボトル蓋に組み合わせたときの状態を示す断面斜視図である。
【図５】図４のＡ部分の拡大図である。
【図６】本考案の第１実施形態に係るストロー落下防止装置にストローを挿入し、吊り下げて固定した状態の説明図である。
【図７】本考案の第１実施形態に係るストロー落下防止装置にストローを挿入し、吊り下げて固定した使用状態の説明図である。
【図８】本考案の第２実施形態に係るストロー落下防止装置にストローを挿入し、吊り下げて固定した状態の説明図である。
【図９】本考案の第２実施形態に係るストロー落下防止装置にストローを挿入し、吊り下げて固定した使用状態の説明図である。
【図１０】本考案の他の実施形態に係るストロー落下防止装置の吊下げ構造を示す正面図である。
【考案を実施するための形態】
【０００８】
図１〜図３を参照する。図１〜図３に示すように、本考案の一実施形態に係るストロー落下防止装置は、吊下げ構造１を含む。吊下げ構造１は、嵌合片１１、接続部１２及び位置決めリング１３を含む。
【０００９】
嵌合片１１の頂端面には、少なくとも１つの当接リング１１１が設けられる。嵌合片１１の当接リング１１１は、環状リブ又は複数のバンプが配列されて構成される。本実施形態の当接リング１１１は環状リブであり、嵌合片１１には、貫通孔１１２が形成される。貫通孔１１２の一端には螺旋状を呈して外側に広がった溝部１１３が形成される。溝部１１３の底端面と嵌合片１１の表面とにはミシン目１１４が形成される。
【００１０】
接続部１２は、嵌合片１１の溝部１１３間に形成される。
【００１１】
位置決めリング１３は、接続部１２の底端面に設けられるとともに係止孔１３１を有する。
【００１２】
位置決めリング１３が下方へ引っ張られると、溝部１１３の底端面と嵌合片１１の表面とに形成されたミシン目１１４を介して接続部１２が嵌合片１１の表面から外れ、吊下げ構造１が螺旋状に吊り下げられる（図２及び図３参照）。
【００１３】
位置決めリング１３が有する係止孔１３１の内環縁には、内方へ突出した弾性ストッパ１３１１が複数設けられている。本実施形態の位置決めリング１３は、Ｏ字状に形成されているが、これだけに限定されるわけではなく、Ｏ字状又はＣ字状に形成されてもよい。位置決めリング１３は、接続部１２の底端面に複数設けられている。
【００１４】
図４〜図９を参照する。図１、図２及び図４〜図９に示すように、本考案のストロー落下防止装置を実際に使用する際、ボトル蓋２に応用してストロー４を固定し、ストロー４が容器ボトル３内に落下することを防ぐ吊下げ構造１を含む。さらに詳細には、ボトル蓋２は、ペットボトルの蓋を指す。容器ボトル３は、ペットボトルの瓶本体を指し、第１の実施形態の状態を示す。本実施形態の吊下げ構造１は、嵌合片１１を有し、嵌合片１１の頂端面には少なくとも１つの当接リング１１１が設けられる。当接リング１１１は、環状リブ又は複数のバンプが配列されて形成される。本実施形態の当接リング１１１は、環状リブにより形成される。嵌合片１１には、貫通孔１１２が形成される。貫通孔１１２の一端には、螺旋状で外側に広がった状態溝部１１３が形成され、溝部１１３の底端面と嵌合片１１の表面とにはミシン目１１４が形成される。接続部１２は、嵌合片１１の溝部１１３間に形成される。位置決めリング１３は、接続部１２の底端面に設けられるとともに、係止孔１３１を有する。
【００１５】
吊下げ構造１がボトル蓋２の内底部に結合されると、吊下げ構造１の嵌合片１１の頂面端に設けられた当接リング１１１がボトル蓋２の内底部に当接される。吊下げ構造１の嵌合片１１とボトル蓋２の内底部との間には、隙間１１０が形成される。吊下げ構造１の位置決めリング１３が下方へ引っ張られると、溝部１１３の底端面と嵌合片１１の表面とに形成されたミシン目１１４を介して接続部１２が嵌合片１１の表面から外れ、吊下げ構造１がボトル蓋２の内底部に螺旋状に吊り下げられる。吊下げ構造１とボトル蓋２とは接着又は嵌合される。
【００１６】
上述したボトル蓋２の内縁壁には雌ねじ部２１が形成される。ボトル蓋２の内底部には、下方へ延びたショルダ２２が周設される。吊下げ構造１の嵌合片１１は、ショルダ２２内に設けられる。嵌合片１１に設けた当接リング１１１は、ボトル蓋２の内底部に接触される。吊下げ構造１の嵌合片１１に設けた当接リング１１１は、ボトル蓋２の内底部に接着され、吊下げ構造１がショルダ２２内に固定される。吊下げ構造１は、ボトル蓋２の内底部に接着される。ショルダ２２の内壁縁には、位置決めリング２２１を有する収納溝２２０が形成され、吊下げ構造１の嵌合片１１が嵌合方式により収納溝２２０内に結合され、嵌合片１１に設けた当接リング１１１がボトル蓋２の内底部に接触される。本実施形態の吊下げ構造１は、ボトル蓋２の内底部に嵌合される。吊下げ構造１は、ボトル蓋２と一体的に設けられる。
【００１７】
上述のボトル蓋２とはタンブラーの蓋を指し、容器ボトル３とはタンブラーの瓶本体を指し、第２実施形態の状態を呈する（図８及び図９参照）。第２実施形態の吊下げ構造１は、ボトル蓋２との組合せと各構造が第１実施形態と略同じあるため、ここでは詳しく述べないが、第２実施形態のボトル蓋２がタンブラーの蓋を指し、第１実施形態のボトル蓋２がペットボトルの蓋を指す上、第２実施形態のボトル蓋２の輪郭が第１実施形態のボトル蓋２の輪郭より大きい点が唯一異なる。また、吊下げ構造１の位置決めリング１３は、接続部１２の底端面に複数設けられる。各位置決めリング１３に形成された係止孔１３１の内周縁には、内方へ突出された複数の弾性ストッパ１３１１が設けられる。
【００１８】
ボトル蓋２又は容器ボトル３を組み合わせると、第１実施形態、第２実施形態ともに吊下げ構造１がボトル蓋２の底部内に固定され、ボトル蓋２が容器ボトル３に取り付けられる。容器ボトル３は、瓶本体３１及び瓶口３２を有する。瓶口３２の外縁には、雄ねじ部３２１が形成される。ボトル蓋２の雌ねじ部２１が瓶口３２の雄ねじ部３２１に螺着されて密着されるため、気密性及び漏れ防止性が高く、吊下げ構造１の位置決めリング１３を利用してストロー４を挿入して位置決めし、ボトル蓋２の牽引作用により、ストロー４が容器ボトル３内に落下することを防ぐとともに、吊下げ構造１によりストロー４を容器ボトル３内へ押し込んで収納することができるため、ストロー４を引き抜いて廃棄する必要がなく、環境が汚染されることを防ぐ。ボトル蓋２を再び開くと、吊下げ構造１によりストロー４が一緒に引っ張り出されるため、飲用者は全体の操作過程で指又は工具でストロー４又は容器ボトル３の瓶口３２に全く触れる必要がないため、飲み物がウイルス、細菌などにより汚染されることを防ぐことができる。このように、飲用者は指又は工具でストロー４又は容器ボトル３の瓶口３２に触れる必要がないため、容易かつ衛生的に飲み物を飲むことができる。
【００１９】
ボトル蓋２内の吊下げ構造１の位置決めリング１３を下方へ延ばすと、接続部１２が溝部１１３の底端面と嵌合片１１の表面とに形成されたミシン目１１４を介して嵌合片１１の表面から外れ、吊下げ構造１が螺旋状を呈してボトル蓋２の内底部に吊り下げられ、吊下げ構造１の吊下げ長さが増大する。また、長さが異なるストロー４でも固定することができるため、容器ボトル３内にストロー４が落下することを防ぐことができるため、本考案のストロー落下防止装置は使用が簡便で応用範囲が広い。
【００２０】
ボトル蓋２内の吊下げ構造１の位置決めリング１３に形成された係止孔１３１の内周縁には、内方へ突出した複数の弾性ストッパ１３１１が設けられ、異なる管径のストロー４を位置決めリング１３の係止孔１３１に挿入し、係止孔１３１の内周縁の複数の弾性ストッパ１３１１が弾性変形し、ストロー４を挟持して固定することができる。この構成により、ストロー４が容器ボトル３内部に落下することを防ぎ、管径が異なるストロー４でも固定することができるため、本考案のストロー落下防止装置は使用が簡便で応用範囲が広い。
【００２１】
本実施形態の吊下げ構造１の接続部１２は、長尺状で嵌合片１１の底端面に設けられる。位置決めリング１３は、接続部１２の底端面に設けられるとともに、係止孔１３１を有する。位置決めリング１３に形成された係止孔１３１の内周縁には、内方へ突出した弾性ストッパ１３１１が複数設けられる。位置決めリング１３は、Ｏ字状又はＣ字状に形成されてもよい（図１０参照）。
【符号の説明】
【００２２】
１  吊下げ構造
２  ボトル蓋
３  容器ボトル
４  ストロー
１１  嵌合片
１２  接続部
１３  位置決めリング
２１  雌ねじ部
２２  ショルダ
３１  瓶本体
３２  瓶口
１１０  隙間
１１１  当接リング
１１２  貫通孔
１１３  溝部
１１４  ミシン目
１３１  係止孔
２２０  収納溝
２２１  位置決めリング
３２１  雄ねじ部
１３１１  弾性ストッパ
【図１】
0003200896.tif 000003
【図２】
0003200896.tif 000004
【図３】
0003200896.tif 000005
【図４】
0003200896.tif 000006
【図５】
0003200896.tif 000007
【図６】
0003200896.tif 000008
【図７】
0003200896.tif 000009
【図８】
0003200896.tif 000010
【図９】
0003200896.tif 000011
【図１０】
0003200896.tif 000012